(57)【要約】【課題】磁気パネルの表面側から所望の部分のみの消去が可能な磁気反転表示パネルで且つクリーナ磁石を一体的に備え付けながらも、使用しない時にはクリーナ磁石が邪魔になることのない磁気反転表示パネル装置を提供する。【解決手段】磁石固定部材を摺動溝に沿って動かし、磁石固定部材を磁気パネルを越えた位置に回動させることにより、クリーナ磁石及び磁石固定部を磁気パネルの側方に収容する構成を特徴とする。【選択図】  図２
2005205619.tif 000002
【特許請求の範囲】
【請求項１】
Ｓ極側表面とＮ極側表面とが異なる色の微小磁石が分散媒中に分散された分散液体を液体収容室に収容した磁気パネルに、該磁気パネルを保持する枠体を配設し、前記枠体に前記磁気パネルの少なくとも一方の辺に沿って延びる摺動溝を設け、前記摺動溝に摺動駒を配設し、前記摺動駒に該摺動駒に対し回動自在に軸着される曲折部及び前記磁気パネルの前記一方の辺に直交する方向が該磁気パネルの巾より大幅に延びた磁石固定部を有する磁石固定部材を配設し、前記磁石固定部に前記枠体の摺動溝に直交する方向に沿って異なる磁極が配置し且つ前記磁気パネルにおける該方向の巾を横架するクリーナ磁石を固設してなり、前記磁石固定部材を前記摺動溝に沿って動かし、前記磁石固定部材を前記磁気パネルを越えた位置に回動させることにより、前記クリーナ磁石及び磁石固定部を前記磁気パネルの側方に収容する構成を特徴とする磁気反転表示パネル装置。
【請求項２】
前記磁石固定部材の両端に前記曲折部を設けると共に、前記摺動溝を前記磁気パネルの二辺に沿って設け且つ前記摺動駒を二辺の該摺動溝のそれぞれ配設したことを特徴とする請求項１に記載の磁気反転表示パネル装置。
【発明の詳細な説明】
【技術分野】
【０００１】
本発明は磁気パネル装置に関し、さらに詳しくは、Ｓ極側表面とＮ極側表面とが異なる色の微小磁石が分散媒中に分散された降伏値を有する分散液体を液体収容室に収容した磁気パネルを使用する磁気反転表示パネル装置に関する。
【背景技術】
【０００２】
従来、磁気により表示を行うことができる磁気パネルを用いた磁気表示システムは知られており、該磁気表示システムとしては、特公昭６２−５３３５９号公報に挙げられるような磁性粒子を泳動させて表示を行う磁気泳動表示パネルや特公昭５９−３２７９６号に挙げられるような微小磁石を反転させて表示を行う磁気反転表示パネルが提案されている。
【０００３】
前記磁気泳動表示パネルいわゆる泳動型は、筆記前に磁気泳動表示パネルの裏面全面を消去用磁石でスライドし磁気パネル中の磁性粒子を裏面側に引き寄せ、該表面を均一な面としてから、その表面に筆記用磁石を操作して、部分的に磁性粒子を表面側に引き寄せることにより磁気表示を得るという表示方法である。このような磁気泳動表示パネルは一般的に、磁気パネルの裏面側に配設した該磁気パネルの巾方向を横架する消去用磁石をスライドすることにより、磁性粒子を裏面側に引寄せて、筆記した磁気表示を消去する構成である。したがって、磁気パネルの裏で消去用磁石を操作するので磁気表示の所望の部分のみを消去するということが困難な構造である。
【０００４】
一方、前記磁気反転表示パネルいわゆる反転型は、筆記前に磁気反転表示パネルの表面側から、Ｎ極又はＳ極の一方の磁極を表面に設けた消去用磁石で、磁気パネル中の微小粒子の同一極をパネル表面側に向かせ、表面を均一な表面色としてから、同じく表面側から前記消去用磁石と反対の磁極を先端に有する筆記用磁石を用いて、微小磁石を部分的に反転させ、均一な表面色の中に別の色を表示させることにより磁気表示を得るという表示方法である。尚、この反転型は磁気表示を消去する場合に、表面側から消去用磁石を操作して消去を行うので、消去の目的箇所を的確に消去することが可能であるという泳動型にはない優れた点がある。
【０００５】
ところで、この磁気反転表示パネルは、筆記終了後等にパネルの全面を消去する目的、あるいは繰返しの書き消しにより液体収容室の中で不均一な分散状態になってしまった微小磁石を再度均一な状態にクリーニングする目的で、磁気パネルの巾方向を横架する長さのクリーナ磁石があると便利である。このクリーナ磁石は、例えば特開２００２−８２３６３号公報の段落２８にあるように、磁石（特開２００２−８２３６３号公報では表示変更部材）が断面的に見て横方向（磁石の移動方向）より縦方向（パネルから遠ざかる方向）が大きい形状である。磁石の横方向より縦方向が大きい理由はＷＯ０１／０９８５４８号公報の記載にあるように、磁石から出る磁界を効率良く磁気パネルに作用させるためである。尚、操作性を向上させるために、クリーナ磁石は特開２００２−８２３６３号公報に見られるように、磁気パネルと一体的に備え付けられていることが好ましい。しかし、クリーナ磁石は、磁気パネルの表面側で使用するものなので、使用しない時でも磁気パネルの表面から常に飛出た状態で、見た目が悪くなったり、筆記する際や磁気パネルを移動する際に邪魔になるという問題があった。
【０００６】
【特許文献１】特公昭６２−５３３５９号公報
【特許文献２】特公昭５９−３２７９６号公報
【特許文献３】特開２００２−８２３６３号公報
【特許文献４】ＷＯ０１／０９８５４８号公報
【発明の開示】
【発明が解決しようとする課題】
【０００７】
そこで、本発明は、磁気パネルの表面側から所望の部分のみの消去が可能な磁気反転表示パネルで且つクリーナ磁石を一体的に備え付けながらも、使用しない時にはクリーナ磁石が邪魔になることのない磁気反転表示パネル装置を提供することを目的とする。
【課題を解決するための手段】
【０００８】
本発明の上記課題は以下の各発明により解決される。
すなわち、本発明は、
「１．Ｓ極側表面とＮ極側表面とが異なる色の微小磁石が分散媒中に分散された分散液体を液体収容室に収容した磁気パネルに、該磁気パネルを保持する枠体を配設し、前記枠体に前記磁気パネルの少なくとも一方の辺に沿って延びる摺動溝を設け、前記摺動溝に摺動駒を配設し、前記摺動駒に該摺動駒に対し回動自在に軸着される曲折部及び前記磁気パネルの前記一方の辺に直交する方向が該磁気パネルの巾より大幅に延びた磁石固定部を有する磁石固定部材を配設し、前記磁石固定部に前記枠体の摺動溝に直交する方向に沿って異なる磁極が配置し且つ前記磁気パネルにおける該方向の巾を横架するクリーナ磁石を固設してなり、前記磁石固定部材を前記摺動溝に沿って動かし、前記磁石固定部材を前記磁気パネルを越えた位置に回動させることにより、前記クリーナ磁石及び磁石固定部を前記磁気パネルの側方に収容する構成を特徴とする磁気反転表示パネル装置。
２．前記磁石固定部材の両端に前記曲折部を設けると共に、前記摺動溝を前記磁気パネルの二辺に沿って設け且つ前記摺動駒を二辺の該摺動溝のそれぞれ配設したことを特徴とする請求項１に記載の磁気反転表示パネル装置。」である。
【発明の効果】
【０００９】
請求項１に係る発明によれば、操作性を考慮してクリーナ磁石を磁気パネルに備え付けても、使用しないときには、磁石固定部材を摺動溝に沿って動かし、磁石固定部材を磁気パネルの表面板を越えた位置に回動させることにより、クリーナ磁石及び磁石固定部材を磁気パネルの側方に収容することができるので、使用しない時にはクリーナ磁石が邪魔にならない。
【００１０】
請求項２に係る発明によれば、磁気表示パネルが大きくて巾の広いものであっても、磁石固定部材の両端が摺動溝に支持されているので、操作時に磁石固定部材がふらつき難くい。また、使用後に磁石固定部材を磁気パネルの反対側へ回動させて収容する時にも、両端が支持されていることから、スムーズに磁石固定部材を回転させることができる。
【発明を実施するための最良の形態】
【００１１】
次に図面を参照しながら、本発明の実施の形態の具体例（実施例）を説明する。図１は本実施例の磁気反転表示パネル装置のクリーナ磁石を使用していない状態の図で、図１Ａは正面図で、図１Ｂは図１Ａの右側面図で、図１Ｃは図１Ａの左側面図である。また、図２は本実施例の磁気反転表示パネル装置のクリーナ磁石を使用している状態の図で、図２Ａは正面図で、図２Ｂは図２Ａの右側面図である。また、図３は本実施例の磁気パネルの構造を示す概念図である。
磁気反転表示パネル装置１は、磁気パネル２に枠体３を配設し、枠体３に設けた摺動溝４に摺動駒５を配設し、その摺動駒５に対して回動自在に軸着した曲折部６ａと磁気パネル２の縦方向の辺に直交する方向（横方向）が磁気パネルの巾より大幅に延びた磁石固定部６ｂとを有する磁石固定部材６を配設し、磁石固定部材６にクリーナ磁石７を固設してある。
【００１２】
図３に示すように磁気パネル２は、裏面板２０２に複数のハニカムセル２０３を構成する隔壁２０４を固着して形成した液体収容室２０５の表示面側に、筆記面２０６ａとなる透明な表面板２０６を隔壁２０４に固着して一体としてある。液体収容室２０５には、分散媒と増稠剤とからなる液体２０７中にＳ極とＮ極を有する微小磁石２０８を分散した降伏値を有する分散液体２０９を収容してある。微小磁石２０８はＳ極側表面部分を白色に着色し、Ｎ極側表面部分を青色に着色してある。
図３に示すように磁気パネル２は、先端がＮ極の筆記用磁石１０１を配設した磁気ペン１００で、青色のＮ極を表面側に向けた微小磁石２０８に対して磁界を与え反転させ、青色（Ｎ極側表面部分）の背景に白色（Ｓ極側表面部分）の筆記線を描いている。この筆記線は、図１Ａ及び図２Ａにおける「ＡＢＣ」と表示された筆記線２１０の部分である。
【００１３】
この筆記線２１０に対し、磁気ペン１００の後端に配設した消去用磁石１０２のＳ極で微小磁石２０８の青色（Ｎ極側表面部分）を再反転させることにより、部分的な筆記線の消去を行うことができる。図２Ａの筆記線２１０の「Ｃ」の欠けた部分２１０ａが部分的に消去した箇所である。
これに対し筆記線２１０を全面的に消去することができるものが、図２Ａにて使用状態にあるクリーナ磁石７である。クリーナ磁石７は、枠体３に設けた摺動溝４に直交する方向（横方向）に沿って異なる磁極（Ｓ，Ｎ）が配置してある。図２Ａでは下にＳ極が上にＮ極が位置している。図３を用いてクリーナ磁石７の使用時における磁気パネル２に対する磁力の作用の説明を行うと、クリーナ磁石７を右側（矢印Ｐ方向）へ移動させた場合には、微小磁石２０８のＳ極側表面部分が表面側に向いた状態（ｐ区間の部分）となり磁気パネル２が白色となる。また、クリーナ磁石７を左側（矢印Ｑ方向）に移動させた場合には、微小磁石２０８のＮ極側表面部分が表面側を向いた状態（ｑ区間の部分）となり磁気パネル２が青色となる。
【００１４】
次に、図４，図５を用いて、本実施例の磁気反転表示パネル装置１の構造を説明する。図４は図２ＡのＡ−Ａ線断面図で、図５は図４を分解した状態の図である。図に示すように磁気反転表示パネル装置１は、磁気パネル２の裏側に鉄板２ａを配設し、装置の基体となる下枠部材３１に対してパネル押え３２を被せて磁気パネル２を押さえ、ビス３３にて固定し、下枠部材３１に対し上枠部材３０をビス３４にて固定して枠体３を構成してある。また、それぞれの枠部材に設けた凹部３０ａと凹部３１ａとを組合わせることにより摺動溝４を構成し、この摺動溝４に摺動駒５が配設される。
【００１５】
図６は図２の状態の磁石固定部材とクリーナ磁石及び摺動駒の構成を説明する図で、図６Ａは正面から見た図で、図６Ｂは図６Ａの右側面図である。図７は、図６ＢのＢ−Ｂ線断面図である。図８は、図６ＡのＣ−Ｃ線断面図である。図に示すように摺動駒５は、長円形の駒本体５０に対し２つの車輪５１を車軸５２により回転可能に軸着したものである。車軸５２は、車輪５１に設けた貫通孔５１ａと遊嵌し、駒本体５０に設けた固定孔５０ａに密嵌して固定されており、車軸５２に設けた大径部５２ａにより車輪５１を抜け止めとしてある。本実施例の摺動駒５は、車輪５１が下枠部材３１の凹部３１ａに乗っかり転がることにより、摺動性を向上させている。また、駒本体５０の内側には、磁石固定部材６の曲折部６ａと当接する突部５０ｂを形成してある。曲折部６ａは固定軸６０により摺動駒５に対して回動自在に軸着している。固定軸６０は、磁石固定部材６の曲折部６ａに設けた貫通孔６ｃと遊嵌し、摺動駒５の側面に設けた固定孔５０ｃに密嵌して固定されており、固定軸６０に設けた大径部６０ａで磁石固定部材６の曲折部６ａを抜け止めとしてある。尚、前述した通り、曲折部６ａは、前記摺動駒５の突部５０ｂに当接した状態で磁気パネル２に対して直立する構成である。
【００１６】
図８を用いて磁石固定部材６とクリーナ磁石７との関係を説明する。磁石固定部材６の磁石固定部６ｂはクリーナ磁石６の上半分を覆う断面コの字形状であり、長さは摺動溝４に直交する方向のパネル巾を横架する長さである。クリーナ磁石７には、その下面と側面とを保護する布７ａを接着してある。このクリーナ磁石７の上面と磁石固定部材６ｂの上部内側面とを接着することにより固設してある。
【００１７】
図９は図１の状態の磁石固定部材とクリーナ磁石及び摺動駒の構成を説明する図で、図９Ａは正面から見た図で、図９Ｂは図９Ａの右側面図である。図１０は、図９ＢのＤ−Ｄ線要部断面図である。図１１は、クリーナ磁石の回動動作の概念図である。この状態の磁石固定部材６及びクリーナ磁石７は、図１Ａで示すように、枠体３に形成した磁気パネル２の側方にある収容凹部３ａに収まっており突出せず邪魔にならない（図１Ｂ，図１Ｃ参照）。尚、再びクリーナ磁石７を使用する際には、収容凹部３ａの中央部分に設けた切欠部３ｂを利用して磁石固定部材６を回転させ、クリーナ磁石７をパネル表面に対して直立するよう起こし、磁気パネル２の方向へスライドさせればよい。
さらに、本実施例の磁気反転表示パネル装置１では、枠体３の左側に磁気ペン１００を収容するための上部が開口した収容孔３ｃを設けてあり、この収容孔３ｃに磁気ペン１００を挿着することができる。
【００１８】
以上、本発明の実施例を詳述したが、本発明は、前記実施例に限定されるものではなく、特許請求の範囲に記載された本発明の要旨の範囲内で、種々の変更を行うことが可能である。例えば、磁気パネルのパネル構造としては、マイクロカプセルを液体収容室として分散液体を収容したものに採用することも可能である
【図面の簡単な説明】
【００１９】
【図１】図１は本実施例の磁気反転表示パネルのクリーナ磁石を使用していない状態の図で、図１Ａは磁気反転表示パネル装置の正面図で、図１Ｂは図１Ａの右側面図で、図１Ｃは図１Ａの左側面図である。
【図２】図２は同実施例の磁気反転表示パネルのクリーナ磁石を使用している状態の図で、図２Ａは正面図で、図２Ｂは図２Ａの右側面図である。
【図３】磁気反転表示パネルの構造を示す概念図である。
【図４】図２ＡのＡ−Ａ線断面図である。
【図５】図４を分解した状態の図である。
【図６】図６は図２の状態の磁石固定部材とクリーナ磁石及び摺動駒の構成を説明する図で、図６Ａは正面から見た図で、図６Ｂは図６Ａの右側面図である。図７は、図６ＢのＢ−Ｂ線断面図である。図８は、図６ＡのＣ−Ｃ線断面図である。
【図７】図６ＢのＢ−Ｂ線断面図である。
【図８】図６ＡのＣ−Ｃ線断面図である。
【図９】図９は図１の状態の磁石固定部材とクリーナ磁石及び摺動駒の構成を説明する図で、図９Ａは正面から見た図で、図９Ｂは図９Ａの右側面図である。
【図１０】図９ＢのＤ−Ｄ線要部断面図である。
【図１１】クリーナ磁石の回動動作の概念図である。
【符号の説明】
【００２０】
１…磁気反転表示パネル装置、２…磁気パネル、
２０２…裏面板、２０３…ハニカムセル、２０４…隔壁、２０５…液体収容室、
２０６…表面板、２０６ａ…筆記面、２０７…液体、２０８…微小磁石、
２０９…分散液体、
３…枠体、３ａ…収容凹部、３ｂ…切欠部、３ｃ…収容孔、
３０…上枠部材、３０ａ…凹部、３１…下枠部材、３１ａ…凹部、
３２…パネル押え、
４…摺動溝、
５…摺動駒、５０…駒本体、５０ａ…固定孔、５０ｂ…突部、５０ｃ…固定孔、
５１…車輪、５１ａ…貫通孔、５２…車軸、５２ａ…大径部、
６…磁石固定部材、６ａ…曲折部、６ｂ…磁石固定部、６ｃ…貫通孔、
６０…固定軸、６０ａ…大径部、
７…クリーナ磁石、７ａ…布、
１００…磁気ペン。
【図１】
2005205619.tif 000003
【図２】
2005205619.tif 000004
【図３】
2005205619.tif 000005
【図４】
2005205619.tif 000006
【図５】
2005205619.tif 000007
【図６】
2005205619.tif 000008
【図７】
2005205619.tif 000009
【図８】
2005205619.tif 000010
【図９】
2005205619.tif 000011
【図１０】
2005205619.tif 000012
【図１１】
2005205619.tif 000013